(57)【特許請求の範囲】
【請求項１】
切り屑除去機械加工用の工具であって、
一方において、基体（１）を含み、基体（１）には少なくとも一つの座部（１１）が含まれ、座部（１１）は上面と二つの互いに平行である側面（１７ａ，１７ｂ）とを有し、前記座部（１１）の上面がベース面（１２）とベース面（１２）に対して突出している後方支持部（１３）によって境界が定められ、ベース面（１２）は一つ以上の隆起（２８）と溝（２９）の形態の第１の結合部（３２）を含み、
他方において、交換可能な切削インサート（２）を含み、切削インサート（２）は上面（２２）、下面（２３）、及び上面と下面の間で延びて少なくとも一つの切れ刃（２５）を介して上面に移行してゆく逃げ面（２４）を有し、
下面（２３）が一つ以上の溝（２７）と隆起（２６）を有する第２の結合部を含み、第２の結合部の隆起（２６）が第１の結合部（３２）の溝と係合し、第２の結合部の溝（２７）が第１の結合部（３２）の隆起と係合し、同時に逃げ面（２４）の一部（２４ｂ）が後方支持部（１３）に付勢され、
第１の結合部（３２）の個々の隆起（２８）の想像上の延長線が後方支持部（１３）の側方まで延び、
後方支持部は、二つの前記側面（１７ａ，１７ｂ）の中間に配置された中央平面（ＣＰ１）に対して垂直に延びる後方支持面（１３）であり、第１の結合部（３２）の個々の隆起（２８）の前記想像上の延長線が、前記後方支持面（１３）が垂直に延びる方向に対して鋭角（β）を成すことを特徴とする工具。
【請求項２】
第１の結合部（３２）が溝（２９）によって間隔をあけた複数の隆起（２８）を含み、隆起（２８）の対向する端（２８ａ，２８ｂ）が境界線に沿って位置し、端（２８ａ，２８ｂ）がベース面（１２）の輪郭形状を決定することを特徴とする請求項１に記載の工具。
【請求項３】
ベース面（１２）が、結合部（３２）の他に、自由面（３３）を含み、結合部が後方支持部の方へ傾斜するのと同時にそれが後方支持部（１３）に最も近く位置する隣接する隆起の端の方へ傾斜することを特徴とする請求項１又は２に記載の工具。
【請求項４】
自由面（３３）は、一方で、一つ以上の隆起（２８）の頂点で表される第１の結合部（３２）の最高高さ位置よりも低く位置し、他方で、一つ以上の溝（２９）の底で表される第１の結合部（３２）の最低高さ位置よりも高く位置することを特徴とする請求項３に記載の工具。
【請求項５】
後方支持面（１３）の幅は、互いに間隔をあけた二つの側方境界線（１７ａ，１７ｂ）の間の距離で表されるベース面（１２）の幅（Ｗ）の少なくとも半分になることを特徴とする請求項１〜４のいずれか１項に記載の工具。
【請求項６】
樋形状の凹部（３４）がベース面（１２）と後方支持部（１３）の間に形成されることを特徴とする請求項１〜５のいずれか１項に記載の工具。
【請求項７】
第１の結合部（３２）がベース面（１２）の全投影面積の少なくとも２／３を占める投影面積を有することを特徴とする請求項１〜６のいずれか１項に記載の工具。
【請求項８】
後方支持面（１３）と隆起（２８）の間の鋭角（β）が少なくとも２５゜であることを特徴とする請求項１〜７のいずれか１項に記載の工具。
【請求項９】
後方支持面（１３）と隆起（２８）の間の鋭角（β）が大きくても５０゜であることを特徴とする請求項１〜８のいずれか１項に記載の工具。
【請求項１０】
前記後方支持面（１３）と隆起（２８）の間の鋭角（β）が４５゜であることを特徴とする請求項１〜９のいずれか１項に記載の工具。
【請求項１１】
基体（１）の座部（１１）が基体に半永久的に結合するエレメント（３）に形成されることを特徴とする請求項１〜１０のいずれか１項に記載の工具。
【請求項１２】
側及び正面フライスカッターの形態の請求項１１に記載の工具であって、
基体が中心軸（Ｃ１）のまわりで回転可能な円形ディスク（１）であり、円形ディスク（１）の周縁に複数の切削インサート（２）が装備され、個々の切削インサート（２）がカセット（３）の形態のエレメントに取り付けられ、
カセットは、円形ディスクに形成された一連の隆起と溝の形態の第１のセレーション面（９）及びカセットの下面に形成された円形ディスクの中心軸（Ｃ１）と平行に延びる溝と隆起の形の第２のセレーション面（１０）を含む境界面を介して、円形ディスクと半永久的に結合し、第２のセレーション面（１０）の隆起が第１のセレーション面の溝と係合し、及び第２のセレーション面（１０）の溝が第１のセレーション面の隆起と係合し、
第１の結合部（３２）がカセット（３）の上面、更に詳しくは突起（１４）と前端面（１８）との間に形成され、カセットは前端面（１８）から後端面（１９）の方へ延びる一対の互いに間隔をあけた側面（１７ａ，１７ｂ）によって境界が定められ、
第１の結合部（３２）の個々の隆起（２８）が個々の側面（１７ｂ）に対して鋭角（α）をなして延び、隆起（２８）の想像上の延長線を突起（１４）の側方まで導くことを特徴とする請求項１１に記載の工具。
【請求項１３】
第１の結合部（３２）の隆起（２８）の対向する第１及び第２の端（２８ａ，２８ｂ）の対のうち、すべての第１の端（２８ａ）は側面の一方（１７ｂ）に沿って位置し、少なくともいくつかの対向する第２の端（２８ｂ）はカセットの前端面（１８）の幅全体に沿って位置していることを特徴とする請求項１２に記載の工具。
【請求項１４】
側面（１７ｂ）と隆起（２８）の間の角（α）が少なくとも２５゜であることを特徴とする請求項１２又は１３に記載の工具。
【請求項１５】
側面（１７ｂ）と隆起（２８）の間の角（α）が大きくても５０゜であることを特徴とする請求項１２〜１４のいずれか１項に記載の工具。
【請求項１６】
側面（１７ｂ）と隆起（２８）の間の角（α）が４５゜であることを特徴とする請求項１２〜１５のいずれか１項に記載の工具。
【請求項１７】
切り屑除去機械加工用の工具の基体であって、
切削インサートを受け入れるための座部（１１）を含み、座部（１１）は上面と二つの互いに平行である側面（１７ａ，１７ｂ）とを有し、前記座部（１１）の上面がベース面（１２）とベース面（１２）に対して突出している後方支持部（１３）によって境界が定められ、
ベース面（１２）は一つ以上の隆起（２８）と溝（２９）の形態の結合部（３２）を含み、結合部（３２）の個々の隆起（２８）の想像上の延長線が後方支持部（１３）の側方まで延び、
後方支持部は、二つの前記側面（１７ａ，１７ｂ）の中間に配置された中央平面（ＣＰ１）に対して垂直に延びる後方支持面（１３）であり、第１の結合部（３２）の個々の隆起（２８）の想像上の延長線が、前記後方支持面（１３）が垂直に延びる方向に対して鋭角（β）を成し、
前記切削インサート（２）は、上面（２２）、下面（２３）、及び上面と下面の間で延びて少なくとも一つの切れ刃（２５）を介して上面に移行してゆく逃げ面（２４）を有し、前記下面（２３）が一つ以上の溝（２７）と隆起（２６）を有する第２の結合部を含み、
前記切削インサート（２）が前記基体に装着されるとき、前記第２の結合部の隆起（２６）が前記第１の結合部（３２）の溝と係合し、前記第２の結合部の溝（２７）が第１の結合部（３２）の隆起と係合し、同時に前記逃げ面（２４）の一部（２４ｂ）が後方支持部（１３）に付勢されることを特徴とする基体。
【請求項１８】
結合部（３２）が溝（２９）によって間隔をあけた複数の隆起（２８）を含み、隆起（２８）の対向する端（２８ａ，２８ｂ）が、ベース面（１２）の輪郭形状を決定する境界線に沿って位置することを特徴とする請求項１７に記載の基体。
【請求項１９】
ベース面（１２）が、結合部（３２）の他に、自由面（３３）を含み、自由面（３３）が後方支持部（１３）の最も近くに位置する隣接する隆起の端（２８ａ）の方へ傾斜することを特徴とする請求項１７又は１８に記載の基体。
【請求項２０】
自由面（３３）は、一つ以上の隆起（２８）の頂点で表される結合部（３２）の最高高さ位置よりも低く位置し、かつ、一つ以上の溝（２９）の底で表される結合部（３２）の最低高さ位置よりも高く位置することを特徴とする請求項１９に記載の基体。
【請求項２１】
後方支持面（１３）の幅が、ベース面（１２）の二つの互いに間隔をあけた側方境界線の間の距離で表されるベース面（１２）の幅（Ｗ）の少なくとも半分になることを特徴とする請求項１７〜２０のいずれか１項に記載の基体。
【請求項２２】
樋形状の凹部（３４）がベース面（１２）と後方支持部（１３）の間に形成されることを特徴とする請求項１７〜２１のいずれか１項に記載の基体。
【請求項２３】
結合部（３２）がベース面（１２）の全投影面積の少なくとも２／３を占める投影面積を有することを特徴とする請求項１７〜２２のいずれか１項に記載の基体。
【請求項２４】
後方支持部（１３）と個々の隆起（２８）の間の角度（β）が少なくとも２５゜であることを特徴とする請求項１７〜２３のいずれか１項に記載の基体。
【請求項２５】
後方支持部（１３）と個々の隆起（２８）の間の角度（β）が大きくても５０゜であることを特徴とする請求項１７〜２４のいずれか１項に記載の基体。
【請求項２６】
後方支持部（１３）と個々の隆起（２８）の間の角度（β）が４５゜であることを特徴とする請求項１７〜２５のいずれか１項に記載の基体。
【請求項２７】
個々の座部（１１）は、基体に半永久的に結合するエレメント（３）に形成されることを特徴とする請求項１７〜２６のいずれか１項に記載の基体。
【請求項２８】
中心軸（Ｃ１）のまわりで回転可能な円形ディスク（１）の形態の請求項２９に記載の基体であって、
基体の周縁がカセット（３）を含み、カセット（３）がディスクに形成された一連の隆起と溝の形の第１のセレーション面（９）及びカセットの下面に形成されたディスクの中心軸（Ｃ１）と平行に延びる溝と隆起の形態の第２のセレーション面（１０）を含む境界面によって、ディスクと半永久的に結合し、第２のセレーション面（１０）の隆起が第１のセレーション面の溝と係合し、第２のセレーション面（１０）の溝が第１のセレーション面の突起と係合し、
結合部（３２）がカセットの上面、更に詳しくは突起（１４）と前端面（１８）の間に形成され、
カセットは前端面（１８）から後端面（１９）の方へ延びる一対の互いに間隔をあけた側面（１７ａ，１７ｂ）によって境界が定められ、
結合部の個々の隆起（２８）が個々の側面（１７ｂ）に対して鋭角（α）をなして延び、隆起（２８）の想像上の延長線を突起（１４）の側方まで導くことを特徴とする請求項２７に記載の基体。
【請求項２９】
角度（α）が少なくとも２５゜であることを特徴とする請求項２８に記載の基体。
【請求項３０】
角度（α）が大きくても５０゜であることを特徴とする請求項２８又は２９に記載の基体。
【請求項３１】
角度（α）が４５゜であることを特徴とする請求項２８〜３０のいずれか１項に記載の基体。
【請求項３２】
結合部（３２）の隆起（２８）の対向する第１及び第２の端（２８ａ，２８ｂ）の対のうち、すべての第１の端（２８ａ）は側面の一方（１７ｂ）に沿って位置し、少なくともいくつかの対向する第２の端（２８ｂ）はカセットの前端面（１８）の幅全体に沿って位置していることを特徴とする請求項２８〜３１のいずれか１項に記載の基体。
【請求項３３】
請求項１〜１６のいずれか１項に記載の工具のための交換可能な切削インサートであって、
上面（２２）、下面（２３）、及び上面と下面の間に延びて少なくとも一つの切れ刃（２５）を介して上面（２２）に移行する逃げ面（２４）を含み、
下面（２３）は、溝（２７）によって間隔をあけ、各々が一対の対向端を有する複数の隆起の形態の結合部を含み、
隆起（２６）が切れ刃（２５）に対してある鋭角（γ）をなして延びることを特徴とする切削インサート。
【請求項３４】
結合部が下面（２３）全体に沿って延び、すべての隆起（２６）の間の溝（２７）が逃げ面（２４）に開放していることを特徴とする請求項３３に記載の切削インサート。
【請求項３５】
隆起と切れ刃の間の角度（γ）が少なくとも２５゜であることを特徴とする請求項３３又は３４に記載の切削インサート。
【請求項３６】
隆起と切れ刃との間の角度（γ）が大きくても５０゜であることを特徴とする請求項３３〜３５のいずれか１項に記載の切削インサート。
【請求項３７】
隆起と切れ刃との間の角度（γ）が４５゜であることを特徴とする請求項３３〜３６のいずれか１項に記載の切削インサート。
【発明の詳細な説明】
【技術分野】
【０００１】
第１の様態で、本発明は切削工具すなわち切り屑除去機械加工用の工具であって、一方において、ベース面とそれに対して突出する支持部によって境界を定められる少なくとも一つの座部が含まれる基体を含み、ベース面が一つ以上の隆起と溝の形の第１の結合部を含み、他方において、上面、下面、及びそれらの間に延びて少なくとも一つの切れ刃を介して上面に移行してゆく逃げ面を含む交換可能な切削インサートを含む工具に関し、下面は一つ以上の溝と隆起を含む第２の結合部を含み、逃げ面の一部を支持部に押しつけたときに、第２の結合部の隆起が第１の結合部の溝と係合し、第２の結合部の溝が第１の結合部の隆起と係合する。
【０００２】
問題としている種類の工具は主に金属の被削材を機械加工することを意図するものである。
【背景技術】
【０００３】
本発明は、あらゆる切削工具（フライス削り、旋削加工、及び穴あけ工具）に適用可能であり、特に、小さな切削インサートを有するフライスカッター、溝入れカッターに適用でき、共通の問題を有している。
【０００４】
特許文献１には、従来例として、円形ディスクを含み、その周縁に複数の取り替え可能な硬い耐摩耗性材料、例えば超硬合金、でできた切削インサートを備えた溝入れカッターが開示されている。これらの切削インサートは、ディスクに半永久的に結合され、周縁に間隔をあけた切り屑ポケットに配置された鋼などでできた別のカセットに取り付けられ、損傷した場合には交換することができる、すなわちディスク全体を廃棄する必要なしに交換することができる。個々のカセットを信頼できる仕方でディスクに固定して保持し、カセットの位置を側方に微調整できるように、ねじで締め付けることができるくさびが用いられ、それによってカセットの下面の（真っ直ぐで平行な隆起と溝の形をした）いわゆるセレーション面を、協働するディスクの個々の切り屑ポケットのセレーション面に力で押し込むことができる。詳しくは、一方のセレーション面で断面がくさび形の隆起が他方のセレーション面の溝に押し込まれ、一方のセレーション面の溝が他方のセレーション面の隆起に押し込まれ、カセットとディスクの間のきわめて安定した結合を実現しつつ、同時に、カセット及びそれによって切削インサートの側方位置を簡単な方法で微調整でき、その後にカセットを最終的にくさびで固定することができる。そして、切削インサートは、カセットの上面のいわゆるインサート座又は座部に取り付けることができる。特許文献１に示されている工具では、座部は平坦な底面すなわちベース面と、及び互いに垂直な方向の二つの平坦な支持面、すなわち後方支持面と側方支持面と、によって境界を定められ、これらの面に切削インサートの逃げ面が柔軟な締め付けねじによって押し付けられ、そのねじが同時に切削インサートの下面を座部のベース面に押しつける。後に、この工具の開発が進み、座部のベース面と切削インサートの下面に結合する部分とが、カセットの下面とディスクの切り屑ポケットの間の結合と同じタイプのセレーション面の形で、すなわち互いに平行な隆起と溝を有し、それらが交互に互いに係合する面の形で形成されたている。詳しく言うと、切削インサートには一組の隆起が形成され、それが二つの側方逃げ面と平行に前端と後端の間に延び、そのうち少なくとも前端は切り屑除去に必要な切れ刃を含み、他方座部のベース面にはディスクの平面内で（すなわちディスクの中心軸と垂直に）、ベース面の前端又は外側端から後方支持面の方へ延びる隆起が形成されている。このようにして、個々の側方支持面を省くことができ、工具の製造が容易となった。
【０００５】
本発明は、上記特許文献に基づいて開発された、請求項１の前提部分に定義されているような市販の側及び正面フライスカッターから出発する。
【０００６】
既知の側及び正面フライスカッターにおける、二つの協働するセレーション面又は結合部が形成された切削インサートとカセットの界面は十分に大きいが、切削インサートを制限された寸法で作らなければならない場合、カセットの結合部の隆起と溝に切削インサートの回転に効果的に対抗してそれを安定に固定するのに十分な大きさの長さを与えることができないという問題が生ずる。すなわち、カセットの結合部は、実際にはシャンクエンドミルによるフライス削りによって、所望の数の溝がカセットの座部の最初は平坦であるベース面に作られる。しかし、座部のべース面がフライスカッターに対して小さい場合、短い溝と隆起しか得られない。使用できる最小のシャンクエンドミルがベース面の長さと同じ大きさの直径を有すると考えると、溝及び隆起の長さは最大でも高々直径の半分になる。それより長くするにはフライスカッターを前方へ送ることが必要になり、突出している支持面を損傷する。
【先行技術文献】
【特許文献】
【０００７】
【特許文献１】米国特許第５８０００７９号明細書
【発明の概要】
【発明が解決しようとする課題】
【０００８】
本発明は上述した問題を軽減して、改良された切り屑除去機械加工用の工具、特に側及び正面フライスカッター、を提供することを目指す。したがって、本発明の第１の目的は、交換することができる切削インサートを受け入れるための座部（単数又は複数）にベース面が形成され、その結合部が最適の投影面積を有し、隆起がかなり大きな長さを有するような工具を提供することである。言い換えると、小さな切削インサートのための小さな座部にベース面を形成して、その大きな割合が隆起と溝が交互に設けられた結合部であるようにすることが可能であり、もっぱら切削インサートの安定した固定と高い機械加工精度を確保することを目的として座部の突出する支持面を損傷せずに溝をフライス加工することが可能である。本発明の目的は、また、構造的に簡易であって安価に製造できる工具を提供することである。
【課題を解決するための手段】
【０００９】
本発明によれば、少なくとも第１の目的は請求項１の特徴部分において定義された特徴によって達成される。さらに、本発明による工具の好ましい実施形態は従属請求項２〜１７で定義される。
【００１０】
別の様態で、本発明はまた、問題としている種類の工具のための基体に関する。この基体の特徴は独立請求項１８、及び従属請求項１９〜３４、から明らかである。
【００１１】
第３の様態で、本発明はまた、特にこの工具に適した切削インサートに関する。この切削インサートは請求項３５、及び従属請求項３６〜３９から明らかである。
【００１２】
本発明は、切削インサートを受け入れる座部のベース面に含まれる隆起と溝（又は複数の隆起と溝）を鋭角に傾けて、隆起の想像上の延長線が座部の後方支持面の側方を通り過ぎる位置になるようにするという思想に基づいている。このようにして、例えば、シャンクエンドミルでは、隆起と溝を支持面と接触させることなく、支持面のそばに形成することができ、ベース面のより大きな部分に長い、力を吸収する隆起を形成することが可能になる。
【図面の簡単な説明】
【００１３】
【図１】本発明に従って作られた工具を側及び正面フライスカッターの形で例示して示す斜視図である。
【図２】工具のディスク状の基体にカセットと交換可能な切削インサートを装備する仕方を示す拡大された斜視詳細図である。
【図３】個々のカセットを示す上からの拡大斜視図である。
【図４】同じカセットを示す下からの斜視図である。
【図５】このカセットを示す上からの平面図である。
【図６】このカセットを示す側面図である。
【図７】カセットに装着された本発明による切削インサートを示す斜視図である。
【図８】図７によるカセット及び切削インサートを正面から示す端面図である。
【図９】本発明による切削インサートを示す上からの斜視図である。
【図１０】同じ切削インサートを示す下からの斜視図である。
【図１１】図９と１０による切削インサートを示す平面図である。
【図１２】この切削インサートを正面から示す端面図である。
【発明を実施するための形態】
【００１４】
本発明が適用される工具の一例として、側及び正面フライスカッターが選ばれ、図１と２に示されている。これは、一方において、中心軸Ｃ１のまわりで回転可能な円形ディスク又はブレードの形の基体１と、他方において、このディスクの外周に沿って取り付けられた交換可能な切削インサート２とから構成される。詳しくは、個々の切削インサート２は、いわゆるカセット３に取り付けられ、カセット３は半永久的に基体に結合されて基体の一部となっている。このような各カセット３が、ディスクの周縁に開放している切り屑ポケット４に隣接して配置され、くさび５によって固定される。くさび５は、締め付けねじ６によって、ディスクの平坦なくさび面７と、カセット３の上側の平坦なくさび面８との間に引き込まれる。カセットを安定して固定できるように、境界面は、ディスク本体１のいわゆるセレーション面９と、それと協働するカセット３の下側のセレーション面１０（図４と６を参照）という形態で利用されている。セレーション面９，１０は、溝によって隔てられた複数の真っ直ぐな互いに平行な隆起を含み、一方のセレーション面の隆起が他方のセレーション面の溝と係合し、一方のセレーション面の溝が他方のセレーション面の隆起と係合する。隆起は断面で見るとくさび形状であり、対応する溝の底に当たらないように形成される。さらに、個々の隆起はディスク本体ーの中心軸Ｃ１と平行に延び、したがってディスクの平面と９０゜の角度をなす。このことは、ディスクに対するカセットの水平方向位置が、中心軸Ｃ１に対する切削インサートの径方向距離を変えることなく、簡単な仕方で微調整できるということを意味する。こうして、くさび５を緩く締めた状態でカセットをセレーション面９に対して変位させることができ、そのあとでくさび５を最終的に締めてカセットを動かないように固定することができる。
【００１５】
次に図３〜６を参照すると、カセット３の性質がさらに詳しくそこに示されている。
【００１６】
カセットの上面には、全体が１１で表される座部（いわゆるインサート座）が形成されている。座部は、底面又はベース面１２と、ベース面１２に対して突出する後方支持面と、によって境界を定められている。この場合、後方支持面は突起１４に含まれる平面であり、突起にはくさび面８も含まれている。カセットの下面はすべてセレーション面１０によって占められ、その隆起と溝が、それぞれ、１５と１６で表されている。さらに、カセットは二つの互いに平行な平面である側面１７ａ、１７ｂによって境界が定められ、それらは前端及び後端面１８，１９の間に延びている。図４で、ＣＰ１は側面１７ａ、１７ｂの真ん中に位置している垂直な中央平面を表している。ベース面１２には雌ねじ溝を有する孔２０が開口し、そこで締め付けねじ２１の雄ねじを締めることができる（図７を参照）。この例では、孔２０は貫通しており、したがってカセットの下面にも開口している。
【００１７】
次に図９〜１２を参照すると、切削インサート２の性質が詳しく示されている。一般に、切削インサートは、上面２２，下面２３，及び全体が２４で表される外周面の逃げ面を含む。外周面は、切削インサートが四角形の基本形を有するこの場合は四つの部分面を含む。すなわち、前方端面２４ａ、後方端面２４ｂ、及び二つの側面２４ｃを含む。これらの面のうち、二つの側面２４ｃは同じであり、共通の中央平面ＣＰ２から等しい距離にある。この例では、切削インサート２は切削インサートの上面２２と逃げ面２４に含まれる前方部分面２４ａの間にただ一つの切れ刃２５を含む。切れ刃２５は、この場合その長さの大きな部分で真っ直ぐであるが、その両端でアーチ状の部分刃２５ａに移行してゆく。切れ刃２５から、逃げ面２４が下向き方向及び後方に続く。
【００１８】
切削インサートの下面２３には、一連の隆起と溝２６，２７が、カセット３のベース面１２の一連の隆起と溝と協働動作するために形成される。これらの隆起と溝を、カセットとディスク本体との間の境界面のセレーション面９，１０に含まれる隆起と溝から概念的に区別するために、隆起／溝２６，２７が存在する面及びベース面１２における対応する配置は、以下では“結合部”と呼ばれる。カセットの結合部（全体を３２で表す）に含まれる隆起と溝は２８，２９で表される（図３と５を参照）。続けて図９〜１２を参照して、切削インサート２は、その中心軸がＣ３と表される垂直の貫通孔３０を含むことを指摘しておきたい。この孔の上方の開口は円錐面３１によって境界が定められている。
【００１９】
図７と８には、カセット３に取り付けられた、詳しくは締め付けねじ２１によって取り付けられた切削インサート２が示されている。この状態で、切削インサートの下面の隆起２６はカセットの溝２９と係合しており、隆起２８は溝２７と係合している。
【００２０】
本発明をさらに詳しく説明する前に、完全のために、最大の力はこの場合フライス削りのときに切削インサートに作用するものであり、径方向でディスク本体ーの平面に向けられるということを指摘しておかなければならない。これらの径方向の力は、切削インサートの後端面が付勢されるカセットに形成された後方支持面によって担われる。しかし、切削インサートはもっと弱い側方への力も受け、それは切削インサートを座部に対して変位させ、回転させようとする（ときには、交互に）。当然、そのような変位や回転を防ぐことは協働する隆起の役目である。
【００２１】
上述したように、既知の工具の欠点は、カセットの結合部の隆起がカセットの側面と平行に（したがって後方支持表面と垂直に）延び、同時に切削インサートの下面の隆起が切れ刃と垂直に、すなわち切削インサートの側方表面と本質的に平行に延びていることである。したがって、切削インサートが小さく、カセットの座部も 小さい場合には、、カセットの結合部の隆起に切削インサートを安定して固定するのに十分な長さを与えることが困難になる。このように、カセットの結合部の溝をフライス削りするのに通常用いられるシャンクエンドミルは、シャンクエンドミルの直径の半分に相当する距離よりも後方支持表面に近づけることができない。
【００２２】
本発明によれば、上述の問題は、カセットと切削インサートの二つの結合部の隆起（及び溝）を、それぞれ、その中央平面ＣＰ１とＣＰ２に対して角度をつける又は傾斜させることによって解決される。図３と５で、３２は、隆起２８と溝２９によって構成される結合部を表す、すなわち、座部１１のベース面１２の部分であって、切削インサートの下面の隆起２６と溝２７に機械的に結合させることができる部分を表す。図５に見られるように、結合部３２の隆起２８は中央平面ＣＰ１と鋭角αをなす。隆起２８はまた、支持面１３と鋭角βをなす。支持面１３は、この場合、中央平面ＣＰ１に垂直に延びているので、角βは角αに対して補角をなす。隆起２８が中央平面ＣＰ１に平行に延びずに傾斜していることによって、隆起の想像上の延長は支持面の側方を通って延びる。このようにして、支持面１３の側方を自由に通過できるシャンクエンドミルによって、すなわちそれを損傷することなく、隆起を設けることができ、結合部３２の投影面と隆起の長さは、隆起が中央平面と平行であってそのため支持面１３から比較的大きな距離のところで終わらざるをえない場合に比べて大きくなる。
【００２３】
カセットの二つの側面１７ａ，１７ｂ、及び端面１８は、この場合、平面なので、ベース面１２の輪郭形状を決定する境界線は真っ直ぐになる。図５の平面図にはっきりと見られるように、隆起２８はこの境界線まで延びている、すなわち、隆起の対向する端はこれらの境界線に位置している。各隆起の第１の端は２８ａで表され、対向する端は２８ｂで表される。図５にはっきりと見られるように、すべての第１の端２８ａは一方の側面１７ｂに沿って位置し、いくつかの対向する第２の端２８ｂはカセットの前端面１８に沿って位置し、その他の第２の端２８ｂはカセットの対向側面１７ａに沿って位置している。
【００２４】
結合部３２と支持面１３の間に自由面３３があって、この場合は三角形の形を有し、支持面に最も近く位置する隣接する隆起の方に向かうテーパーを有している。
【００２５】
ベース面１２と支持面１３の間に、樋形状の凹部３４が形成されており、これは切削インサートの下面後部に対する隙間を構成している。したがって、ベース面の長さＬは凹部３４とカセットの前方端面１８の間の距離によって決定される。カセットの幅はＷで表される。図示した例では、角α並びに角βは４５゜になり、隆起と溝によって形成される結合部３２がベース面１２の全面積のほぼ７４％を占める。
【００２６】
結合部３２の面積を最適化するために、突起１４に面取り面３５が形成されている。これは、隆起と同様、中央平面ＣＰ１に対して４５゜の角度で延びている。こうしてカセットの全幅に対する支持面１３の幅が減少するが、切削インサートに作用する径方向の力を信頼できる方法で担うのに十分な大きさである。この例では、支持面１３の幅は、カセットの幅Ｗのほぼ７５％になる。もちろん、この幅は大きくも小さくも変わりうる。しかし、いずれにしてもそれは少なくとも５０％になるであろう。
【００２７】
さらに、角α及び角βも、互いに独立に、変わりうる。すなわち、支持面１３が中央平面ＣＰ１に対して９０゜以外の角度になっている場合である。一般に、結合部３２の面積は（ベース面１２の形と大きさが同じであり、支持面１３が同じ幅を有するという条件で）、角αが減少すると減少し、その逆も起こる。しかし、実際に、結合部の十分な面積並びに支持面１３の十分な幅を確保するためには、角αは２５゜を下回ってはならない。他方、角αは５０゜を超えてはならない。５０゜を超えると、切削インサートからの側方への力を担う隆起の能力があまりに大きく低下するからである。実際には、結合部の面積はベース面の全面積の少なくとも２／３にならなければならない。
【００２８】
図６に見られるように、自由面３３は、一方で、隆起２８の頂点で表される結合部３２の最高高さ位置よりも低い位置にあり、他方で、溝２９の底で表される結合部３２の最低高さ位置よりも高い位置にある。凹部３４の底は自由面よりも低い位置にある。
【００２９】
例示されている工具の実施形態において、切削インサートは（再び図９〜１２を参照）、中央平面ＣＰ２に関して対称であり、ただ一つの切り屑を除去する切れ刃２５を有する。これに関連して、切削インサートの下面２３に形成される第２の結合部の隆起２６は中央平面ＣＰ２に対して鋭角δで延びている。切削インサートをカセット３の中央平面に関して対称に配置するためには、δとαは等しい大きさ、すなわちこの例では４５゜でなければならない。切れ刃２５は中央平面ＣＰ２に垂直に延びているので、γはδに対して補角をなす。したがって、δが４５゜であればγも４５゜である。また、切削インサートの下面の結合部は、すべての溝２７が逃げ面２４のいろいろな部分面に続いているため、結合部は下面全体にわたって延びていることに注意すべきである。また、隆起２６は中央平面に対して少なくとも２５゜そして大きくても５０゜の角度で延びていなければならない。
【００３０】
図５で、締め付けねじ２１のための孔２０が中央平面ＣＰ１に対して少し側方へずれていることが見られる。しかし、切削インサートの対応する孔３０は中央に位置しているので、その中心軸Ｃ３は切削インサートの中央平面ＣＰ２と合致する。円錐状のヘッド（不図示）を有するねじ２１はある程度の固有の弾性を有する鋼から作られる。孔２０と孔３０の間に偏心があるために、ねじ２１は、締められたとき、下向きの力だけでなく、切削インサートにスプリング力も及ぼし、それが切削インサートを図５で右及び後方に対角線方向に、切削インサートの後端面２４ｂが後方支持面１３にぴったりと押しつけられるまで移動させる。この位置で、小さな切削インサートはまた安定な形で固定され、径方向ディスク本体の方へのその移動が突起１４の支持面１３によって阻止され、同時に側方の力の結果としての切削インサートの回転に対しては、支持面に最も近く位置する結合部に含まれる隆起（単数又は複数）２８が長く、切削インサートの下面の後部と係合することによって効果的に対抗する。
【００３１】
本発明の根本的な利点は、交換可能な切削インサート、特に小さな切削インサートを安定に固定することを目的とするＬ字形（側面から見て）の座部に、通常の簡単なフライス削り（又はそれと同等な機械加工）によって比例した大きさの面を与え、同時にその最も長い隆起（単数又は複数）が突出する支持部のすぐ近くまで延び延びるようにできるということである。このようにして、隆起の一部は対応する切削インサートの結合部の後部と係合して、切削インサートの回転に効果的に対抗する。言い換えると、切削インサートからの最も大きな力を担うベース面の結合部の前端に、ベース面の幅全体に沿って隆起が形成され、同時に最も長い隆起（単数又は複数）がベース面の後端までずっと延びている。
【００３２】
（発明の実行可能な変形）
図面に例示された本発明の工具の実施形態では、切削インサートは対称な基本形を有し、ただ一つの前方の切れ刃を含む。本発明の範囲内で、二つ以上の切れ刃を有する割り出し可能な切削インサートを用いることもできるが、結合部の隆起が傾斜する鋭角が正確に４５゜でなければならない。さらに、主要な切削力が切削インサートに対角線方向で切削インサートの個々のコーナーの方へ加えられる場合、上述した隆起の傾斜を特に有利な方法で利用できる。主要な力の作用線に対して隆起を適当な角度、例えば９０゜又はほぼ９０゜に配置することによって、切削インサートの回転に対して効果的に対抗する他に、大きな切削力を後方支持部と共に隆起を利用して担うことができる。また、後方支持部は必ずしもこの例のように平面である必要はないということも指摘しておきたい。後方支持部は座部のベース面に対して直立し、切削インサートの後端面と少なくとも線接触又は点接触して切削インサートが後ろ向きにずれることを防止するということだけが重要である。突起がベース面と同じ幅を有する代わりに、もっと小さな幅又は直径を有する突出する直立部、例えばスタッド、とすることもできる。また、結合部に含まれる隆起や溝の幾何的デザインもいろいろな方法で変更できる。すなわち、全く真っ直ぐな隆起の代わりに、少しカーブした隆起を考えることもできる。隆起は一般にくさび形であるが、フランク角は（通常は６０゜であるが）かなり広い範囲内で変えることができる。切削インサートがそれを回転させようとする側方への弱い力しか受けない場合、個々の結合部に、例に示されたように５本ではなく、ただ１本又は数本の隆起と溝を形成することも可能である。さらに、切削インサートは多角形の基本形でなく、丸い基本形であってもよい。序論で述べたように、本発明はフライスカッター以外の切削工具にも、例えば旋削工具並びに穴あけ工具にも、適用できる。これらの工具のための旋削インサートはしばしばインサートのコーナーの方へ対角線方向に作用する切削力を受けるからである。さらに、座部の後方支持面を特別な取り替え可能なシムで形成し、それがカセットの後方突起（又は直接、基体の対応する部分）に押しつけられるようにすることも可能である。このようなやり方で、異なるくさび角のいろいろなくさび形のシムを用いることが可能になり、結合部の隆起に対する支持面の角度を変えることができる。また、自由面をいくつかの短い隆起／溝で補って、それらが突出する支持面から大きな距離のところで終わって損傷の危険がないようにすることもできる。こうすると、結合部の面積を広げることができ、同時に切削インサートの後部の回転にしっかりと対抗するために、一つ以上の隆起は長さをいっぱいに保持することができる。終わりに、交換可能な切削インサートを受け入れることを目的とする座部又はインサート座は、もちろん、基体の他の部分と半永久的に結合したカセット又はその他の形、例えばシムプレート、として形成する必要はない。座部は、一体としての基体に直接に形成することもできる。
【図１】
0005666916.tif 000002
【図２】
0005666916.tif 000003
【図３】
0005666916.tif 000004
【図４】
0005666916.tif 000005
【図５】
0005666916.tif 000006
【図６】
0005666916.tif 000007
【図７】
0005666916.tif 000008
【図８】
0005666916.tif 000009
【図９】
0005666916.tif 000010
【図１０】
0005666916.tif 000011
【図１１】
0005666916.tif 000012
【図１２】
0005666916.tif 000013